(57)【要約】【課題】  シートの設置及び撤去を容易に行う。【解決手段】  シート設置装置であって、上下方向に延設されて空間を仕切る第一のシート１０と、第一のシート１０を下方へ繰り出したり上方へ収納したりする繰出し収納機構２０とを備え、第一のシート１０は、空間を仕切るようにして下方へ繰り出されるシート本体１１と、シート本体１１の下端側で不動部位に離脱可能に固定される係脱固定部１３とを一体的に具備し、繰出し収納機構２０には、構造物Ｐに対し着脱可能な係脱部３０が設けられている。【選択図】  図１
2020159019.tif 000002
【特許請求の範囲】
【請求項１】
上下方向に延設されて空間を仕切る第一のシートと、前記第一のシートを下方へ繰り出したり上方へ収納したりする繰出し収納機構とを備え、
前記第一のシートは、空間を仕切るようにして下方へ繰り出されるシート本体と、前記シート本体の下端側で不動部位に離脱可能に固定される係脱固定部とを一体的に具備し、前記繰出し収納機構には、構造物に対し着脱可能な係脱部が設けられていることを特徴とするシート設置装置。
【請求項２】
前記繰出し収納機構は、前記第一のシートをその上方側で巻取ったり繰出したりする巻取軸を備えることを特徴とする請求項１記載のシート設置装置。
【請求項３】
前記繰出し収納機構は、下端側が前記第一のシートの下端側に止着された紐状部材を備え、前記紐状部材を上方へ牽引することにより、前記第一のシートをたくし上げて収納することを特徴とする請求項１記載のシート設置装置。
【請求項４】
前記係脱部は、構造物に対し係脱可能なフック状に形成されていることを特徴とする請求項１〜３何れか１項記載のシート設置装置。
【請求項５】
前記係脱部は、前記繰出し収納機構に対し、横幅方向へ位置調整可能に設けられていることを特徴とする請求項１〜４何れか１項記載のシート設置装置。
【請求項６】
前記第一のシートの前記係脱固定部は、不動部位に予め止着固定される固定部と、前記固定部に着脱可能であって前記シート本体の下端側に接続された嵌脱部とを具備していることを特徴とする請求項１〜５何れか１項記載のシート設置装置。
【請求項７】
前記第一のシートの前記係脱固定部は、下方側の不動部位に載置固定される錘体を具備することを特徴とする請求項１〜５何れか１項記載のシート設置装置。
【請求項８】
前記第一のシートの側方側に並設される第二のシートを備え、
前記第二のシートは、前記第一のシートの側端側に着脱可能なシート着脱部と、構造物に止着される止着部とを一体的に有することを特徴とする請求項１〜７何れか１項記載のシート設置装置。
【請求項９】
前記シート着脱部は、上下方向に間隔を置いて複数設けられていることを特徴とする請求項８記載のシート設置装置。
【請求項１０】
請求項８又は９項記載のシート設置装置の設置方法であって、二以上の前記第一のシートを横幅方向に間隔を空けて設置する工程と、隣接する前記第一のシートの間で前記第二のシートを構造物に止着する工程と、この第二のシートを隣接する前記第一のシートに接続する工程とを含むことを特徴とするシート設置装置の設置方法。
【請求項１１】
請求項８又は９記載のシート設置装置の一時撤去方法であって、前記第一のシート及び前記第二のシートが設置された状態から前記第二のシートを残して前記第一のシートを撤去する工程を含むことを特徴とするシート設置装置の一時撤去方法。
【発明の詳細な説明】
【技術分野】
【０００１】
本発明は、例えば建物や足場等の構造物を覆うようにしてシートを設置する設置装置、および該シート設置装置の設置方法並びに該シート設置装置の一時撤去方法に関するものである。
【背景技術】
【０００２】
従来、この種の発明には、例えば特許文献１に記載されるように、矩形状のシート体と、このシート体の周辺に設けられた多数のベルトと、各ベルトを締結するベルト締結体とを備え、前記ベルトを仮設足場を構成するパイプ等に巻き付けて前記ベルト締結体により締結するようにした養生シートがある。
【先行技術文献】
【特許文献】
【０００３】
【特許文献１】特開２０１８−１２９７９号公報
【発明の概要】
【発明が解決しようとする課題】
【０００４】
しかしながら、上記従来技術によれば、シート体を仮設足場に設置する際には、多数のベルトをパイプ等に巻き付けてベルト締結体により締結する必要がある。また、シート体を撤去する際には、多数のベルトをそれぞれパイプ等から外し、仮設足場から外されたシート体を折畳んで収納する必要がある。
特に、設置後に台風等による強風が予想される場合には、シート体を一時的に撤去する必要が生じ、その作業に手間取る。
【課題を解決するための手段】
【０００５】
このような課題に鑑みて、本発明は、以下の構成を具備するものである。
上下方向に延設されて空間を仕切る第一のシートと、前記第一のシートを下方へ繰り出したり上方へ収納したりする繰出し収納機構とを備え、前記第一のシートは、空間を仕切るようにして下方へ繰り出されるシート本体と、前記シート本体の下端側で不動部位に離脱可能に固定される係脱固定部とを一体的に具備し、前記繰出し収納機構には、構造物に対し着脱可能な係脱部が設けられていることを特徴とするシート設置装置。
【発明の効果】
【０００６】
本発明は、以上説明したように構成されているので、シートの設置及び撤去を容易に行うことができる。
【図面の簡単な説明】
【０００７】
【図１】本発明に係るシート設置装置の一例を示す正面側斜視図である。
【図２】同シート設置装置を示す背面側斜視図である。
【図３】繰出し収納機構の一例を拡大して示す側面図である。
【図４】係脱固定部の一例を示す斜視図である。
【図５】同シート設置装置の設置手順の一例を（ａ）（ｂ）に順次に示す正面図である。
【図６】同シート設置装置を一時撤去する手順の一例を（ａ）（ｂ）に順次に示す正面図である。
【図７】本発明に係るシート設置装置の他例を示す側面図であり、（ａ）は第一のシートを展開した状態を示し、（ｂ）は第一のシートを上方側へ収納した状態を示す。
【発明を実施するための形態】
【０００８】
本実施の形態では、以下の特徴を開示している。
第一の特徴は、上下方向に延設されて空間を仕切る第一のシートと、前記第一のシートを下方へ繰り出したり上方へ収納したりする繰出し収納機構とを備え、前記第一のシートは、空間を仕切るようにして下方へ繰り出されるシート本体と、前記シート本体の下端側で不動部位に離脱可能に固定される係脱固定部とを一体的に具備し、前記繰出し収納機構には、構造物に対し着脱可能な係脱部が設けられている（図１〜図７参照）。
ここで、前記不動部位には、例えば、構造物自体や、構造物を覆う足場等の部材、床面や地面等が挙げられる。
また、前記構造物には、例えば、建設現場の仮設足場や、建造物、建築物、車両、船舶等が挙げられる。
【０００９】
第二の特徴として、シート収納性を向上するために、前記繰出し収納機構は、前記第一のシートをその上方側で巻取ったり繰出したりする巻取軸を備える（図１及び図３参照）。
【００１０】
第三の特徴として、簡素構造によりシート収納性を向上するために、前記繰出し収納機構は、下端側が前記第一のシートの下端側に止着された紐状部材を備え、前記紐状部材を上方へ牽引することにより、前記第一のシートをたくし上げて収納する（図７参照）。
【００１１】
第四の特徴として、構造物に対する着脱性を向上するために、前記係脱部は、構造物に対し係脱可能なフック状に形成されている（図１〜図３参照）。
【００１２】
第五の特徴として、構造物に対する着脱性をより向上するために、前記係脱部は、前記繰出し収納機構に対し、横幅方向へ位置調整可能に設けられている（図２参照）。
【００１３】
第六の特徴として、一時撤去の際の作業性を向上するために、前記第一のシートの前記係脱固定部は、不動部位に予め止着固定される固定部と、前記固定部に着脱可能であって前記シート本体の下端側に接続された嵌脱部とを具備している（図４参照）。
【００１４】
第七の特徴として、シート下端側を固定する作業性を向上するために、前記第一のシートの前記係脱固定部は、下方側の不動部位に載置固定される錘体を具備する（図示せず）。
【００１５】
第八の特徴は、一時撤去の際の作業性をより向上するために、前記第一のシートの側方側に並設される第二のシートを備え、前記第二のシートは、前記第一のシートの側端側に着脱可能なシート着脱部と、構造物に止着される止着部とを一体的に有する（図１及び図２参照）。
【００１６】
第九の特徴として、第二のシートの止着作業性を向上するために、前記シート着脱部は、上下方向に間隔を置いて複数設けられている（図２参照）。
【００１７】
第十の特徴は、設置作業性が良好な上記シート設置装置の設置方法であって、二以上の前記第一のシートを横幅方向に間隔を空けて設置する工程と、隣接する前記第一のシートの間で前記第二のシートを構造物に止着する工程と、この第二のシートを隣接する前記第一のシートに接続する工程とを含む（図５参照）。
【００１８】
第十一の特徴は、一時撤去作業性が良好な上記シート設置装置の一時撤去方法であって、前記第一のシート及び前記第二のシートが設置された状態から前記第二のシートを残して前記第一のシートを撤去する工程を含む（図６参照）。
【００１９】
＜第一の実施態様＞
次に、上記特徴を有する具体的な実施態様について、図面に基づいて詳細に説明する。以下の説明において、「シート厚さ方向」とは、繰出され展開した状態の第一のシートの厚さ方向を意味する。また、「シート幅方向」とは、第一のシートが繰出される方向と略直交する方向であって、シート厚さ方向ではない方向を意味する。
【００２０】
本実施態様のシート設置装置Ａは、上下方向に延設されて空間を仕切る第一のシート１０と、第一のシート１０を下方へ繰り出したり上方へ収納したりする繰出し収納機構２０と、繰出し収納機構２０を構造物Ｐに対し着脱する係脱部３０と、第一のシート１０の側方側に並設される第二のシート５０とを具備する（図１参照）。
【００２１】
図示例によれば、構造物Ｐは、複数の縦パイプＰ１、横パイプＰ２、上下方向に間隔を置いて略平行する複数の足場板（図示せず）等によって、建築現場等の仮設足場を構成している。そして、第一のシート１０及び繰出し収納機構２０は、構造物Ｐを覆う養生シートとして用いられる。
【００２２】
第一のシート１０は、空間を仕切るようにして下方へ繰り出されるシート本体１１と、シート本体１１の下端側で不動部位に離脱可能に固定される係脱固定部１３と、第二のシート５０に着脱するためのシート着脱部４０の片半部４１とを一体的に具備している。
【００２３】
シート本体１１は、可撓性を有する帯状もしくは矩形状のシート材であり、構造物Ｐの上下端側にわたる長尺状に形成される。
このシート本体１１を構成するシート材は、布製や合成樹脂製のシート材（例えば、塩化ビニル樹脂シート材等）や、ガラスクロスやシリカクロス等の難燃性布地、ガラス繊維を含んだ合成樹脂シート材、その他のシート材等とすることが可能である。
【００２４】
係脱固定部１３は、シート本体１１の下端側に止着された棒状の錘体１３ｃと、不動部位である下側の横パイプＰ２に対し予め止着固定される固定部１３ａと、固定部１３ａに嵌脱可能であってシート本体１１の下端側に接続された嵌脱部１３ｂとを具備している。
【００２５】
錘体１３ｃは、シート本体１１の横幅方向の略全長にわたって連続する棒状部材である。この錘体１３ｃは、例えば、金属等の硬質材料からなるパイプ材や軸状部材等によって形成される。
この錘体１３ｃは、シート本体１１の下端側に横幅方向へ連続して接続され、その自重によりシート本体１１を下方へ引っ張るとともに、シート本体１１の撓みを抑制する。
【００２６】
固定部１３ａは、図４に示す一例によれば、横パイプＰ２に係止される係止部材１３ａ１と、この係止部材１３ａ１の上端側に接続される被嵌脱部材１３ａ２とから構成される。
【００２７】
係止部材１３ａ１は、下方へ向かって二股状に分かれた可撓性部材であり、例えば、帯状物や紐状物等から構成される。
この係止部材１３ａ１の好ましい一例では、二股状に分かれた一片部と他片部に、それぞれ、ベルベットファスナー（面テープや面ファスナー等と呼称される場合もある。）の片半部と他半部が設けられる。これら一片部と他片部は、図４に示すように、横パイプＰ２の下側で着脱可能に接続される。
【００２８】
なお、係止部材１３ａ１の他例としては、前記ベルベットファスナーをホックやボタン等の他の係脱具に置換することも可能である。更に、他例としては、係止部材１３ａ１を、横パイプＰ２の下側で結ばれる紐状物とすることも可能である。
【００２９】
また、嵌脱部１３ｂは、シート本体１１の下端側に止着された止着部材１３ｂ１と、止着部材１３ｂ１の下端側に止着された嵌脱部材１３ｂ２とから構成される。
【００３０】
止着部材１３ｂ１は、例えば、可撓性の帯状物又は紐状物から構成され、第一のシート１０のシート本体１１を貫通するようにして、第一のシート１０に止着されている。この止着部材１３ｂ１は、縫合や接着、溶着等の他の止着手段によりシート本体１１に止着することも可能である。
【００３１】
嵌脱部材１３ｂ２は、固定部１３ａ側の被嵌脱部材１３ａ２に対し手動で嵌脱する部材である。これら嵌脱部材１３ｂ２と被嵌脱部材１３ａ２には、バックルと呼称される着脱具を用いることが可能である。その他、ベルベットファスナーや、ホック、ボタン、磁石等の着脱具を用いることも可能である。
【００３２】
また、繰出し収納機構２０は、第一のシート１０をその上方側で巻取ったり繰出したりする巻取軸２１と、この巻取軸２１を支持する支持体２２とを備えている（図１及び図３参照）。
【００３３】
巻取軸２１は、支持体２２によって回転自在に支持された軸状部材であり、その外周部に第一のシート１０の上端側を止着している。
この巻取軸２１の一端側には、図示しないスプロケットが一体的に設けられ、このスプロケットには環状操作体２３の上半部側が掛け巻かれている。
環状操作体２３は、例えばチェーン等の長尺無端輪状の部材であり、その下端側が支持体２２の下方へ自由垂下状に延設される。この環状操作体２３は、操作者等により引っ張られて回転し、その回転力を前記スプロケット及び巻取軸２１に伝達する。
【００３４】
また、巻取軸２１には、必要に応じて、第一のシート１０の繰出しを、任意の位置で停止したり再開したりする係脱機構が設けられる。この係脱機構は、例えば、巻取軸２１に同軸状に設けられた爪車と、この爪車に対し係脱可能に係合する爪部材とを具備した構成とすればよい。
また、巻取軸２１の他例としては、繰出し動作と巻取動作のうちの一方又は双方を電動で行う態様としてもよい。この場合、巻取軸２１を回転させる電動モータを繰出し収納機構２０に組み込んだ態様としてもよいし、外部から電動ドライバ等の電動回転工具を接続し該電動回転工具により巻取軸２１を回転させる態様としてもよい。
【００３５】
支持体２２は、巻取軸２１の両端側を回転自在に支持する横長の枠状（図示例によれば平面視コ字枠状）に形成される。
【００３６】
係脱部３０は、横パイプＰ２に対し引っ掛け可能なフック状に形成される。この係脱部３０は、支持体２２に対し、レール部材２２ａを介して横幅方向へ移動して、位置調整されるように設けられる。
【００３７】
レール部材２２ａは、例えば、係脱部３０の基端側（図示の下端側）部分に対し凹凸状に嵌りあって、係脱部３０を引抜け不能かつ横スライド可能に支持する。
【００３８】
なお、係脱部３０には、横パイプＰ２に掛けられた状態で、安易に上方へ外れないように、必要に応じて脱落防止手段が具備される。この脱落防止手段は、例えば、係脱部３０が横パイプＰ２に掛けられた後に、横パイプＰ２に対し下方側から近接する部材とすればよい。
【００３９】
第二のシート５０は、上下方向へわたるシート本体５１と、構造物Ｐの縦パイプＰ１に止着される止着部５２と、シート本体５１を第一のシート１０の側端側に着脱するシート着脱部４０の他半部４２とを一体的に有する（図２参照）。
【００４０】
シート本体５１は、第一のシート１０のシート本体１１と同様の可撓性シート材から上下方向へわたる長尺帯状に形成される。
このシート本体５１の上下方向の長さは、第一のシート１０のシート本体１１と略同じである。
【００４１】
止着部５２は、シート本体５１の裏面に上下方向に間隔を置いて複数止着されている。各止着部５２は、上述した係止部材１３ａ１（図４参照）と略同様の長尺状可撓性部材であり、その長手方向の中央部が、シート本体５１裏面に止着されている。
この止着部５２は、縦パイプＰ１に巻かれるようにして着脱可能に止着される。その止着手段は、係止部材１３ａ１と同様にベルベットファスナーを用いた態様や、縦パイプＰ１に結び付けられる態様、その他の着脱具を用いた態様等とすればよい。
【００４２】
複数の止着部５２の上下方向の間隔は、着脱作業性の良好な一例としては、構造物Ｐを構成する複数の足場板（図示せず）の上下間隔に対応するように設定される。この構成によれば、作業者等が、各足場にて、対応する止着部５２の着脱作業を行うことができる。
【００４３】
シート着脱部４０は、上下方向へ長尺な片半部４１と、該片半部４１に着脱される他半部４２とから構成される。このシート着脱部４０には、例えば、線ファスナーやジッパー等と呼称されるものを用いればよい。
このシート着脱部４０の片半部４１は、第一のシート１０の側端側に、上下方向に間隔を置いて複数止着される。他半部４２は、複数の片半部４１にそれぞれ対応するように、第二のシート５０の側端側に複数止着される。
このように、図示例では、特に好ましい態様として、複数のシート着脱部４０を上下方向に断続的に配設したが、他例としては、前記複数のシート着脱部４０に置換して、上下方向に連続する単一長尺状のシート着脱部を用いることも可能である。
【００４４】
次に、上記構成のシート設置装置Ａを構造物Ｐに設置する方法と、シート設置装置Ａを一時的に撤去する方法について、詳細に説明する。
【００４５】
シート設置装置Ａの設置方法は、二以上（図示例によれば二つ）の第一のシート１０を横幅方向に間隔ｗを空けて設置する工程と、隣接する二つの第一のシート１０，１０の間で第二のシート５０を構造物に止着する工程と、この第二のシート５０を隣接する第一のシート１０，１０の間に接続する工程とを含む。
【００４６】
詳細に説明すれば、図５（ａ）に示すように、縦パイプＰ１を間に置くようにして、その両側に二つの第一のシート１０，１０が並べられ、これら二つの第一のシート１０，１０の上端側が、それぞれ係脱部３０を介して上側の横パイプＰ２に掛止される。
【００４７】
そして、各第一のシート１０について、シート本体１１が下方へ繰り出され、シート本体１１下端側の係脱固定部１３が横パイプＰ２に止着固定される。
これら二つの第一のシート１０，１０の間隔ｗは、後の工程で第二のシート５０が隣接するシート本体１１，１１間に接続されるように、適宜に調整される。この調整は、各繰出し収納機構２０を、係脱部３０に対し横方向へスライドさせればよい。
【００４８】
そして、各第一のシート１０の下端側が、係脱固定部１３を介して下側の横パイプＰ２に接続される。
【００４９】
次に、両側の第一のシート１０，１０のシート本体１１，１１間に位置するように、第二のシート５０が設置される。第二のシート５０は、上下方向の複数箇所で、止着部５２によって縦パイプＰ１に止着される。また、第二のシート５０の幅方向の両端側は、上下方向に間隔を置いた複数のシート着脱部４０によって、両側の第一のシート１０，１０に接続される（図５（ｂ）参照）。
なお、第二のシート５０を縦パイプＰ１に止着する工程は、第二のシート５０を第一のシート１０に接続する工程の前とすればよいが、後にすることも可能である。
【００５０】
また、シート設置装置Ａの一時退去方法は、第一のシート１０及び第二のシート５０が設置された状態から、第二のシート５０を残して第一のシート１０を撤去する。
【００５１】
詳細に説明すれば、先ず、図６に示すように、各第一のシート１０について、下端側の係脱固定部１３が固定部１３ａと嵌脱部１３ｂに分離され、シート本体１１が繰出し収納機構２０によって巻き取られる。分離された固定部１３ａは、下側の横パイプＰ２に接続されたままの状態に放置される（図６（ａ）（ｂ）参照）。
【００５２】
次に、両側の第一のシート１０，１０は、それぞれ、上側の横パイプＰ２から外され、第二のシート５０が、縦パイプＰ１に止着された状態のまま放置される（図６（ｂ）参照）。
【００５３】
よって、上記構成のシート設置装置Ａおよびシート設置装置Ａの設置方法並びにシート設置装置Ａの一時撤去方法によれば、シートを折畳む作業や折畳んだシートを収納する作業等が少なく、シートを構造物Ｐに対し着脱する箇所も少ない。このため、シートの設置作業及び撤去作業等を容易に行うことができる。
特に、設置後、強風等のために、第一のシート１０を一時的に撤去する場合には、第二のシート５０を残すことになるが、残され放置された第二のシート５０は、比較的幅の狭い帯状であるため、強風等による悪影響が少ない。
【００５４】
＜第二の実施態様＞
次に、図７に示すシート設置装置Ｂについて説明する。
このシート設置装置Ｂは、上記シート設置装置Ａについて、その一部を変更したものであるため、主にその変更部分について詳述し、シート設置装置Ａと略同様に機能する構成は同一の符号を付けて詳細説明を省略する。
【００５５】
シート設置装置Ｂは、シート設置装置Ａについて、繰出し収納機構２０を繰出し収納機構６０に置換したものである。
【００５６】
繰出し収納機構６０は、係脱部３０と一体的な支持体６１と、この支持体６１から下方へ延設された紐状部材６２とを備え、紐状部材６２を上方へ牽引することにより、第一のシート１０をたくし上げて収納するように構成される。
【００５７】
支持体６１は、上記支持体２２と略同形状の長尺状の枠体である。この支持体６１には、第一のシート１０の上端部が止着されている。また、支持体６１には、紐状部材６２を巻き取ったり繰出したりするように巻取軸６１ａが支持される。
【００５８】
巻取軸６１ａは、支持体６１の内側で、双方向へ回転するように支持され、その外周面に紐状部材６２の上端部を止着している。
この巻取軸６１ａは、上記シート設置装置Ａと同様に、環状操作体２３によって回転するようにしてもよいし、電動モータ等によって回転するようにしてもよい。
【００５９】
紐状部材６２は、可撓性の長尺部材であればよい。この紐状部材６２には、例えば、金属製ワイヤーや、合成樹脂製ワイヤー、その他の材質のワイヤーやチェーン、紐等が用いられる。
この紐状部材６２は、図７に示すように、第一のシート１０に対し、上下方向に間隔を置いた複数箇所で挿通される略波縫い状に設けられる。この紐状部材６２の上端部は巻取軸６１ａ外周面に止着され、下端部はシート本体１１の下端側に止着される。
【００６０】
上記構成のシート設置装置Ｂでは、第一のシート１０が下方へ延設された状態（図７（ａ）参照）において、紐状部材６２を巻取軸６１ａにより巻き取り牽引すれば、第一のシート１０がたくし上げられ、支持体６１側へ寄せられるようにして収納される（図７（ｂ）参照）。
また、逆に、巻取軸６１ａから紐状部材６２を繰出せば、たくし上げられていた第一のシート１０が、下方へ展開されて平坦状になる（図７（ａ）参照）。
よって、シート設置装置Ｂによれば、上述したシート設置装置Ａと同様に、シートの設置作業及び撤去作業等を容易に行うことができる。
【００６１】
なお、シート設置装置Ｂにおいて、第一のシート１０の好ましい態様としては、横方向へわたる折り目を上下方向に間隔を置いて複数設ける。このようにすれば、第一のシート１０をたくし上げる作業をスムーズに行うことができる上、たくし上げられた第一のシート１０を、図７（ｂ）に示すように、意匠性の良好な縦断面蛇腹状に収納することができる。
【００６２】
＜他の変形例＞
【００６３】
上記実施の形態によれば、第一のシート１０の下端側の係脱固定部１３を下側の横パイプＰ２に止着し固定するようにしたが、係脱固定部１３の他例としては、下方側の不動部位に載置固定される錘体とすることも可能である。この構成は、例えば、上記シート設置装置Ａから固定部１３ａ及び嵌脱部１３ｂを省き、錘体１３ｃの重量を適宜に設定すればよい。
この構成によれば、錘体１３ｃを地面や床面等の不動部位に載置するという簡単な作業によって、第一のシート１０の下端側を固定することができる。
【００６４】
また、上記実施の形態によれば、錘体１３ｃを横幅方向へ連続する棒状の部材としたが、他例としては、この錘体１３ｃを、横幅方向に分割配置された複数の錘体に置換することも可能である。
【００６５】
また、上記実施態様によれば、構造物Ｐを構成する縦パイプＰ１や横パイプＰ２に対し、第一のシート１０や第二のシート５０を止着するようにしたが、他例としては、縦パイプＰ１から径方向外側へ突出して足場板を受ける図示しない凸部（受け金具や受け具等と呼称される場合がある。）に対し、第一のシート１０や第二のシート５０が止着されるようにしてもよい。
更に他例としては、構造物Ｐを構成する足場板や、構造物Ｐ自体、その他の不動部位に、第一のシート１０や第二のシート５０が止着されるようにすることも可能である。
【００６６】
また、図７に示すシート設置装置Ｂでは、紐状部材６２を巻取軸６１ａに巻き取って牽引するようにしたが、他例としては、紐状部材６２を手動で引っ張って牽引する態様や、紐状部材６２を滑車に掛けて牽引する態様等とすることも可能である。
【００６７】
また、上記実施態様によれば、構造物Ｐを建築現場等の足場としたが、他例としては、構造物Ｐを足場以外の構造物とし、この構造物に対しシート設置装置Ａやシート設置装置Ｂが設置されるようにすることも可能である。
すなわち、シート設置装置Ａ，Ｂの設置対象である構造物は、一般住宅や、集合住宅、オフィスビル、工場建屋、公共施設等の建造物自体や、車両、船舶等とすることが可能である。
【００６８】
また、上記実施態様のによれば、上記シート設置装置を養生シートの設置装置として用いたが、他例としては、上記シート設置装置を、防鳥用フェンスや、球技等のプレイスペースを覆う防球ネット、その他のスポーツネット、フェンス、シート等の設置装置として用いることも可能である。
【００６９】
また、上記実施態様によれば、第一のシート１０及び第二のシート５０を同一平面内に配設したが、他例としては、これらシートを出隅コーナ部を挟んで配置した態様や、これらシートを入隅コーナ部を挟んで配置した態様等とすることも可能である。例えば、コーナ部や角部を挟む態様では、そのコーナ部や角部にある縦パイプＰ１に対し第二のシート５０を設置し、その両隣接部に、それぞれ、第一のシート１０を設置すればよい。
【００７０】
また、本発明は上述した実施態様に限定されず、本発明の要旨を変更しない範囲で適宜変更可能である。
【符号の説明】
【００７１】
１０：第一のシート
２０：繰出し収納機構
１１：シート本体
１３：係脱固定部
１３ａ：固定部
１３ｂ：嵌脱部
１３ｃ：錘体
２０，６０：繰出し収納機構
２１，６１ａ：巻取軸
２２，６１：支持体
２２ａ：レール部材
２３：環状操作体
３０：係脱部
４０：シート着脱部
５０：第二のシート
５１：シート本体
５２：止着部
６２：紐状部材
Ａ，Ｂ：シート設置装置
Ｐ：構造物
Ｐ１：縦パイプ
Ｐ２：横パイプ
【図１】
2020159019.tif 000003
【図２】
2020159019.tif 000004
【図３】
2020159019.tif 000005
【図４】
2020159019.tif 000006
【図５】
2020159019.tif 000007
【図６】
2020159019.tif 000008
【図７】
2020159019.tif 000009